(57)【要約】【課題】利用者にとってテレビの視聴が容易になると共に、テーブル面を有効利用できる収納台を提供すること。【解決手段】収納部１１の上部にテーブル面１２を有すると共に、当該テーブル面１２の上方にテレビ３を設置可能な収納台１であって、テレビ３をテーブル面１２に沿って回動移動可能に一端部にて保持するアーム機構２８と、このアーム機構２８の他端部をテーブル面に沿ってスライド移動可能に支持して収納台の所定箇所に設置されるスライド機構２７と、を備えた。【選択図】図３
2007124024.tif 000002
【特許請求の範囲】
【請求項１】
収納部の上部にテーブル面を有すると共に、当該テーブル面の上方にテレビを設置可能な収納台であって、
前記テレビを前記テーブル面に沿って回動移動可能に一端部にて保持するアーム機構と、このアーム機構の他端部を前記テーブル面に沿ってスライド移動可能に支持して収納台の所定箇所に設置されるスライド機構と、を備えた、
ことを特徴とする収納台。
【請求項２】
前記テレビの下端部及び前記アーム機構が前記テーブル面から所定の距離以上離れた状態で回動移動するよう、前記アーム機構の設置高さ及び当該アーム機構に対するテレビの取り付け位置を設定した、ことを特徴とする請求項１記載の収納台。
【請求項３】
前記アーム機構は、前記テレビを前記テーブル面上の背面側に収容可能なよう折り畳み自在な複数のリンクを備えた、ことを特徴とする請求項２記載の収納台。
【請求項４】
前記テーブル面上の背面側に、前記スライド機構を設置収納するボックスを設けると共に、このボックスの上方を前記テレビの収容箇所とした、ことを特徴とする請求項３記載の収納台。
【請求項５】
請求項１乃至４記載の収納台は、ベッドの近辺に配置される床頭台である、ことを特徴とする収納台。
【請求項６】
収納台に形成されたテーブル面の上方に、テレビを設置するために用いるテレビ設置具であって、
前記テレビを前記テーブル面に沿って回動移動可能に一端部にて保持するアーム機構と、このアーム機構の他端部を前記テーブル面に沿ってスライド移動可能に支持して前記テーブル面上の背面側に設置されるスライド機構と、このスライド機構を内部に収納するボックスと、
を備えた、ことを特徴とするテレビ設置具。
【請求項７】
前記アーム機構は、前記テレビを前記ボックスの上方に収容可能なよう折り畳み自在な複数のリンクを備えた、ことを特徴とする請求項６記載のテレビ設置具。
【発明の詳細な説明】
【技術分野】
【０００１】
本発明は、収納台にかかり、特に、テレビを装着可能な収納台に関する。また、収納台にテレビを設置するテレビ設置具に関する。
【背景技術】
【０００２】
従来より、病院に設置されるベッドの枕元には、床頭台と呼ばれる収納台が配置されている。一般的な床頭台の構成としては、下部や上部に収納部が形成されており、中間部には、載置テーブルが形成されている。そして、この載置テーブルは、主に、入院患者用のテレビを設置するために使用されたり、また、患者の所有物や飲食物を載置することに使用される。
【０００３】
一方で、上記床頭台は、ベッドの枕元の横などに配置されるため、患者がベッドに寝ている状態ではテレビを視聴することが困難であり、また、視聴しやすいようテレビの向きを変えるには非常に手間がかかっていた。
【０００４】
これに対し、近年では、ブラウン管テレビに代わって薄型の液晶テレビ等が普及してきており、テレビの向きを変えることが容易になってきている。さらには、下記の特許文献１，２に示すように、テレビをアームを介して床頭台に取り付け、アームを回動することによってテレビの向きを変えることが可能な収納台が開示されている。特に、床頭台の側面にテレビ画面が向くよう可動自在に構成することで、上述したようにベッドに寝た状態の患者でもテレビの視聴が容易となる。
【０００５】
【特許文献１】特開２００３−２１１３３号公報
【特許文献２】特開２００５−１９８９２３号公報
【発明の開示】
【発明が解決しようとする課題】
【０００６】
しかしながら、上述した特許文献記載の例では、いずれもアームのみでテレビを保持しているため、床頭台に対するアームの固定部分を中心として当該アームの可動範囲内でしかテレビを移動させることができない。つまり、常に患者が視聴しやすいよう当該患者の位置に応じて迅速かつ柔軟にテレビの位置や画面の向きを移動することができない、という問題が生じていた。そして、場合によっては、視聴しにくい位置にしか移動させることができないこともあり、体が不自由な患者に煩わしさや不快感を与えてしまう、という問題が生じていた。
【０００７】
さらに、載置テーブル上をテレビがアームにて可動されるため、当該テーブル上に置かれた物がテレビに衝突して倒されたり、載置テーブル上から落下するなどの問題も生じる。あるいは、そのようなことをおそれ、載置テーブルに物を置くことが敬遠され、患者の利便性が低下する、という問題も生じる。
【０００８】
このため、本発明では、上記従来例の有する不都合を改善し、特に、利用者にとってテレビの視聴が容易になると共に、テーブル面を有効利用できる収納台を提供することをその目的とする。
【課題を解決するための手段】
【０００９】
そこで、本発明の一形態は、
収納部の上部にテーブル面を有すると共に、当該テーブル面の上方にテレビを設置可能な収納台（例えば、ベッドの近辺に配置される床頭台）であって、
テレビをテーブル面に沿って回動移動可能に一端部にて保持するアーム機構と、このアーム機構の他端部をテーブル面に沿ってスライド移動可能に支持して収納台の所定箇所に設置されるスライド機構と、を備えた、
ことを特徴としている。
【００１０】
上記発明によると、テレビがアーム機構の一端部に保持され、当該アーム機構の他端部がテーブル面等に設置されたスライド機構に支持されているため、収納台のテーブル面に沿ってテレビがスライド移動及び回動移動可能になる。従って、テレビを広範囲に移動することができると共に、その向きを自在に可動することができるため、利用者の位置に合わせてテレビを視聴しやすい位置に設定することができ、利用者の利便性の向上を図ることができる。特に、病院にて利用することで、例えば、患者がベッドに寝ながら容易にテレビを視聴することができ、より利便性が増す。
【００１１】
また、テレビの下端部及びアーム機構がテーブル面から所定の距離以上離れた状態で回動移動するよう、アーム機構の設置高さ及び当該アーム機構に対するテレビの取り付け位置を設定した、ことを特徴としている。
【００１２】
これにより、テーブル面上にてテレビを移動させた場合であっても、テレビの下端部及びアーム機構がテーブル面から所定の距離だけ上方を移動するため、テレビやアーム機構がテーブル面に載置された物に衝突することを抑制できる。従って、利用者はテーブル面を有効に利用することができ、さらなる利便性の向上を図ることができる。
【００１３】
また、アーム機構は、テレビをテーブル面上の背面側に収容可能なよう折り畳み自在な複数のリンクを備えた、ことを特徴としている。さらに、テーブル面上の背面側に、スライド機構を設置収納するボックスを設けると共に、このボックスの上方をテレビの収容箇所とした、ことを特徴としている。
【００１４】
これにより、アーム機構が折り畳まれると、テレビがテーブル面上の背面側に収容される。従って、テレビ収容時にはテーブル面の前方側を広く利用することができる。特に、スライド機構を収納するボックスをテーブル面上の背面側に設け、その上方にテレビを収容することで、テレビ収容時にはテーブル面とテレビ収容箇所とをボックスにて仕切ることができる。これにより、利用者がよりテーブル面を利用しやすくなり、利便性が増す。
【００１５】
また、本発明の他の形態は、
収納台に形成されたテーブル面の上方に、テレビを設置するために用いるテレビ設置具であって、
テレビをテーブル面に沿って回動移動可能に一端部にて保持するアーム機構と、このアーム機構の他端部をテーブル面に沿ってスライド移動可能に支持してテーブル面上の背面側に設置されるスライド機構と、このスライド機構を内部に収納するボックスと、
を備えた、ことを特徴としている。
【００１６】
そして、上記テレビ設置具のアーム機構は、テレビを前記ボックスの上方に収容可能なよう折り畳み自在な複数のリンクを備えた、ことを特徴としている。
【００１７】
これにより、既存の収納台のテーブル面に、後から上述したテレビ設置具及びテレビを設置することで、広範囲にテレビを移動できたりテーブル面を有効利用できるような収納台を、容易かつ低コストにて製造することができる。
【発明の効果】
【００１８】
本発明は、以上のように構成され機能するので、これによると、テレビを広範囲に可動することができるため、利用者の位置に合わせてテレビを視聴しやすいよう容易に移動させることができ、利用者の利便性の向上を図ることができる。さらには、テレビの下端部及びアーム機構がテーブル面から所定の距離だけ上方を移動するよう構成することで、テレビやアーム機構がテーブル面に載置された物に衝突することを抑制でき、利用者はテーブル面を有効に利用することができるため、さらなる利便性の向上を図ることができる、という従来にない優れた効果を有する。
【発明を実施するための最良の形態】
【００１９】
本発明における収納台は、テレビをアーム機構にて保持し、このアーム機構をスライド機構にて支持することで、テーブル面に沿ってテレビを移動可能とすることを特徴としている。また、テーブル面の上方をテレビを浮かせて移動させるよう構成することも特徴としている。以下、具体的な構成を、実施例にて説明する。なお、実施例では、病院などのベッドの枕元に配置される床頭台を本発明である収納台の一例として説明する。但し、本発明は、床頭台であることに限定されず、他の収納台であってもよい。
【実施例１】
【００２０】
本発明の第１の実施例を、図１乃至図４を参照して説明する。図１は、床頭台の全体構成を示す図であり、図２は、その一部の構成を示す図である。図３及び図４は、テレビを移動したときの様子を示す図である。
【００２１】
［構成］
本実施例における床頭台１は、ベッドの枕元や、ベッド近辺に設置される一般的な床頭台である。そして、図１に示すように、下部に収納部１１を有し、その上部に所定の広さのテーブル面１２が形成されている。ここで、図１に示す収納部１１には複数の引き出しが備えられているが、かかる構成のものに限定されない。例えば、冷蔵庫を収納可能な形状であってもよい。なお、本発明では、収納部１１の収納面側を前面側とし、その反対側を背面側とする。
【００２２】
また、テーブル面１２の背面側には、背板１３が設けられていて、その側方にはそれぞれ側板１４，１５が備えられている。さらに、背板１３及び側板１４，１５の上部には天板１６が設けられている。なお、側板１４，１５は、天板１６の支持強度を増すためのものであり、床頭台１の側方の大部分が開口するよう幅の狭い板部材にて形成されている。
【００２３】
そして、テーブル面１２上の背板１３側には、テレビ設置具２が設置され、かかるテレビ設置具２に支持されてテレビ３が設置されている。このテレビ設置具２について、図２（ａ）の拡大図、及び、図２（ｂ）の蓋部２３を取り外したときの図を参照して説明する。なお、図２では、後述するアーム機構２８からテレビ３を取り外したときの構成を図示している。
【００２４】
図２に示すように、テレビ設置具２は、まず、テーブル面１２の背面側に設置され、背板１３とほぼ平行に延びる２本のレール２５と、このレール上をスライド移動する台車２６と、により構成されたスライド機構２７を備えている（図２（ｂ）参照）。そして、レール２５は、テーブル面１２の幅よりも僅かに短い程度の長さに形成されているため、台車２６は、テーブル面１２上を幅方向にほぼ端から端までスライド移動することが可能である。
【００２５】
また、テレビ設置具２は、図２（ｂ）に示すように、上記スライド機構２７の周囲を囲うようテーブル面１２に垂直に立設された囲い板２１，２２と、その上部を覆う蓋板２３（図２（ａ）参照、図２（ｂ）では図示せず）と、により構成され、スライド機構２６を内部に収容するボックス２７を備えている。ここで、上記囲い板２１，２２は、レール２５を挟むよう当該レール２５に沿って配置されており、レール２５の端部側は、上記側板１４，１５にて囲まれている。そして、一方の囲い板２２は背板１３に面で接して配置されており、もう１つの囲い板２１は、レール２５に近接してテーブル面１２の中央よりも背面側に配置されている。従って、テーブル面１２の前面側の半分以上が蓋板２３よりも低い平坦部となっており、所定の物を載置するテーブルとして利用することができる。また、上記蓋板２３には、背板１３に沿って、つまり、テーブル面１２の幅方向に延びる貫通溝２３ａが形成されており、後述するように台車２５に固定装備されるアーム機構２８の他端部が挿通されている。
【００２６】
さらに、テレビ設置具２は、一端部にテレビ３が固定装備され、他端部が上記蓋板２３の貫通溝２３ａに挿通されて上記台車２５に固定装備されているアーム機構２８を備えている。そして、このアーム機構２８は、主に２本のリンク（連結棒）と、３つの関節部を備えており、それぞれが回転自在に連結されている。従って、アーム機構２８は、アームが伸びたり折り畳まれることによって、台車２５に固定装備された他端部に対する一端部の距離を変化させたり、テレビ３の向きを変化させることができ、テレビ３を回動自在に保持している。なお、アーム機構２８の構成は上記構成に限定されず、異なるリンク数や関節数のアーム機構を用いてもよい。
【００２７】
また、上記アーム機構２８の各リンク（連結棒）は、テーブル面１２と平行に折畳自在に連結されている。そして、リンク自体が、上述した蓋板２３よりも上方に位置するよう構成されると共にスライド機構２７に装着され、さらには、テレビ３の下端部が上記蓋部２３よりも上方に位置するよう一端部にはテレビ３が固定装備されている。そして、リンクが折り畳まれた状態となると、図１に示すように、テレビ３が蓋板２３の上方に位置するよう配置され、収容状態となる。つまり、蓋板２３の上方、換言すると、前面側に位置する囲い板２１よりも背面側は、テレビ３の収容箇所となる。
【００２８】
［動作］
次に、上記構成の床頭台１の動作を、図１，３，４を参照して説明する。まず、図１及び図４に、アーム機構２８が折り畳まれ、スライド機構２６がテーブル幅のほぼ中央に位置しているときのテレビ３（図４では実線にて示す）の位置を示す。かかる場合には、テレビ３がボックス２４（蓋板２３）の上方、つまり、収容箇所に位置している。
【００２９】
そして、アーム機構２８の関節部を回転させてアームを伸ばすことで（図３の矢印Ｙ２及び点線参照）、図３に示すように、床頭台１の側方にまでテレビ３を移動して、当該テレビ３の画面を側方に向けることができる。さらには、スライド機構２７を図３の矢印Ｙ１に示すように可動することで、アーム機構２８の他端部の位置がテーブル面１２の側端付近までスライド移動するため、アーム機能２８の一端部に装備されたテレビ３の可動範囲を広げることができる。つまり、図３に示すように、床頭台１のテーブル面１２から突出した位置にまでテレビ３を移動させることも可能になる。このように、テレビを広範囲に可動することができるため、利用者は自己の位置に合わせてテレビを視聴しやすいよう容易に移動させることができ、利用者の利便性の向上を図ることができる。特に、病院などの床頭台にて利用することで、例えば、利用者がベッドに寝ながら容易にテレビを視聴することができる。
【００３０】
また、上述したようにテレビ３を移動する際には、図４の仮想線に示すように、テーブル面１２上をテレビ３が移動することとなる。このとき、本実施例では、テレビ３はテーブル面１２から距離Ｄだけ離れた上方を移動するため、この距離Ｄの範囲に載置されている載置物にテレビ３が衝突して倒れたり、テーブル面１２から落下することを防止できる。従って、さらに利用者の利便性が向上しうる。
【００３１】
また、スライド機構２７がボックス２５に収納されているため、蓋板２３から一段低い位置にテーブル面１２が形成されている状態となる。従って、テレビ収容時にはテーブル面とテレビ収容箇所とがボックスの壁にて仕切られた状態になるため、利用者がよりテーブル面を利用しやすくなる。特に、蓋板２３よりも低い物をテーブル面１２に載置してもテレビ３が衝突することが無いため、より有効利用できる。
【００３２】
ここで、上記では、テレビ設置具２、特に、スライド機構２７がテーブル面１２上に設置される場合を説明したが、かかる位置に設置されることに限定されない。例えば、上下をひっくり返して、天板１６にスライド機構２７を装着し、テレビ３をアーム機構２８にて吊り下げた状態で保持してもよい。あるいは、スライド機構２７を背板１３に装着してもよい。
【００３３】
なお、上述したテレビ設置具２は、既存の床頭台１のテーブル面１２に、後から装着することができる。従って、上述したように広範囲にテレビ３を移動できたり、当該テレビ３が設置されていてもテーブル面１２を有効利用できるような床頭台１を、容易かつ低コストに製造することができる。
【産業上の利用可能性】
【００３４】
本発明は、テレビが視聴しやすく、また、テーブル面を利用しやすい床頭台やその他の収納台として使用することができ、産業上の利用可能性を有する。
【図面の簡単な説明】
【００３５】
【図１】床頭台の全体構成を示す図であり、テレビが収納された状態を示す。
【図２】床頭台の一部であるテレビ設置具の構成を示す図である。図２（ａ）は拡大図を示し、図２（ｂ）は蓋部を取り外したときの様子を示す。
【図３】テレビ設置具を可動させ、テレビの位置を移動したときの床頭台の様子を示す図である。
【図４】床頭台を側方から見た図である。
【符号の説明】
【００３６】
１  床頭台（収納台）
２  テレビ設置具
３  テレビ
１１  収納部
１２  テーブル面
１３  背板
１４，１５  側板
１６  天板
２１，２２  囲い板
２３  蓋板
２４  ボックス
２５  レール
２６  台車
２７  スライド機構
２８  アーム機構
【図１】
2007124024.tif 000003
【図２】
2007124024.tif 000004
【図３】
2007124024.tif 000005
【図４】
2007124024.tif 000006